(57)【要約】【課題】光源の輝度と周囲の輝度に応じて輝度を適応的に調節して制御効率及び安全性を向上させる。【解決手段】スマートライト制御システムは光源装置（１０）及びコントローラ（１４）を備えている。光源装置は複数の透明部（１１）及び複数のセンサ（１２）を有し、これらのセンサは光源の近傍に別個に配置され、センサは透光部に位置に関して対応し、各センサ及びそれに対応する透明部との間に光を通過させるためにチャンネル（１３）が形成され、コントローラはセンサに接続され、センサはライトビームの輝度に応じて感知された信号をコントローラに伝送し、光源の輝度はコントローラによって適応的に調節されてスマートコントロールを介して光源の制御効率と安全性を向上させる目的を達成している。【選択図】図１
2018158717.tif 000002
【特許請求の範囲】
【請求項１】
光源装置を備え、前記光源装置は光源の近傍に別個に配置された複数の透明部及び複数のセンサを有し、前記センサは前記透明部に関して対応し、各センサ及び対応する透明部の間にチャンネルが形成されて前記光源装置の内部に複数のチャンネルが形成され、前記透明部及び前記センサは別個に配置され、各チャンネルは透明部を有し、前記チャンネルの前記透明部は異なる位置に配置され、
前記センサに接続されたコントローラを備え、
前記センサはライトビームの輝度に応じて感知された信号を前記コントローラに伝送し、前記コントローラは前記感知された信号に応じて前記光源の輝度を適応的に調節することを特徴とするスマートライト制御システム。
【請求項２】
各センサは、前記光源の前方に配置される感光性抵抗器を含む特徴とする請求項１記載のスマートライト制御システム。
【請求項３】
前記センサによって受信された前記ライトビームは、周囲の光からのもの又は対向車両からのものであることを特徴とする請求項１記載のスマートライト制御システム。
【請求項４】
透明ランプケーシングをさらに備え、前記光源装置及び前記コントローラは前記透明ランプケーシングの内部に配置されることを特徴とする請求項１記載のスマートライト制御システム。
【請求項５】
透明ランプケーシングをさらに備え、前記透明部は前記光源装置の側壁に配置されることを特徴とする請求項１記載のスマートライト制御システム。
【請求項６】
各透明部は開口部を含むことを特徴とする請求項５記載のスマートライト制御システム。
【請求項７】
前記開口部にレンズが配置されることを特徴とする請求項６記載のスマートライト制御システム。
【請求項８】
前記チャンネルにそれぞれ配置される複数の集光装置をさらに備えることを特徴とする請求項１乃至請求項７何れか１項記載のスマートライト制御システム。
【請求項９】
前記集光装置は、光ガイド、集光レンズ又は反射カップを含むことを特徴とする請求項８記載のスマートライト制御システム。
【発明の詳細な説明】
【技術分野】
【０００１】
本発明は制御システムに関し、特にスマートライト制御システムに係わる。
【背景技術】
【０００２】
従来のランプは、光源の数及び発光角度を調節することが困難である。例えば、車両用ヘッドライトは、そのような調節を効率的に行うことが困難であり、その結果、ヘッドライトからのライトビームは車両の前方の人々の目に直接眩しく照射され、ひいては一時的な視界のブラックアウトを引き起こし、事故を惹起することにもなりかねない。関連する先行技術の例は、２０１０年７月３０日に台湾で出願された実用新案特許Ｍ４０１０８９である。
【先行技術文献】
【特許文献】
【０００３】
【特許文献１】台湾実用新案第Ｍ４０１０８９号
【発明の概要】
【発明が解決しようとする課題】
【０００４】
本発明は、従来のランプに存在する問題点に鑑みて、光源の輝度と周囲の輝度に応じて輝度を適応的に調節して制御効率及び安全性を向上させることができるスマートライト制御システムを提供するものである。
【課題を解決するための手段】
【０００５】
上記の目的を達成するために、採用される技術的解決策は、以下を含む前述のスマートライト制御システムを適用することである。
【０００６】
光源装置を備え、光源装置は光源の近傍に別個に配置される複数の透明部及び複数のセンサを有し、センサは透明部に位置に関して対応し、各センサ及び対応する透明部の間にチャンネル（光路）が形成され、
センサに接続されたコントローラを備え、
センサはライトビームの輝度に応じて感知された信号をコントローラに伝送し、コントローラは感知された信号に応じて光源の輝度を適応的に調節する（適応制御）。
【０００７】
上記のスマートライト制御システムの構造に基づいて、周囲のライトビームを透明部を介して光源装置に入射させ、ライトビームがチャンネルを通過する際に、ライトビームの輝度に基づいてコントローラは光源の輝度を適応的に調節し、スマート制御を介して光源の制御効率及び安全性を向上させる目的を達成する。
【０００８】
本発明の他の目的、利点及び新規な特長は以下の詳細な説明と併せて図面から明らかになる。
【図面の簡単な説明】
【０００９】
【図１】本発明の第１の好ましい実施例のシステムブロック図を示す。
【図２】本発明の第２の好ましい実施例のシステムブロック図を示す。
【図３】本発明の第３の好ましい実施例の部分システムブロック図を示す。
【図４】は、本発明の第４の好ましい実施例のシステムブロック図を示す。
【発明を実施するための形態】
【００１０】
以下、本発明の好ましい実施例及び図面により、本発明が採用して意図された目的を達成する技術的手段をさらに説明する。
【００１１】
本発明の第１の好ましい実施例に関して、図１を参照するに、スマートライト制御システムは主に光源装置１０を備え、光源装置はさらに光源の近傍に配置される複数の透明部１１及び複数のセンサ１２を有し、各センサ１２はそれぞれの透明部１１に位置に関して対応し、光を通過させるために各センサ及びその対応する透明部の間にチャンネル１３が形成され、コントローラ１４がセンサ１２に接続されている。センサ１２は、ライトビームの輝度に応じて感知された信号をコントローラ１４に伝送し、光源の輝度はコントローラ１４によって適応的に調節される（適応制御）。
【００１２】
光源装置１０が周囲のライトビームを透明部１１を介してその内部チャンネル１３に通過させることにより、ライトビームがチャンネル１３を通過してそれらの輝度がセンサ１２によって感知されるとき、センサ１２はライトビームの輝度に応じて感知された信号をコントローラ１４に伝送し、コントローラ１４はライトビームの輝度に基づいて光源の輝度を適応的に調節し、スマートコントロールを介して光源の制御効率及び安全性を向上させる目的を達成する。
【００１３】
この好ましい実施例において、各センサ１２は光源の前方に配置された感光性抵抗器を含むことができる。感光性抵抗器がライトビームを受光するとき、ライトビームの輝度がより明るくなると抵抗が増大し、感光性抵抗器の抵抗が大きくなるほど感光性抵抗器に流れる電流がより小さくなり、コントローラ１４は光源の輝度を低下させ、その逆にライトビームが減光するとき、コントローラ１４は光源の輝度を増加させる。透明部１１は、光源装置１０の側壁に配置されている。この好ましい実施例において、透明部１１に開口部を設け、開口部にレンズをさらに配置してもよい。
【００１４】
本発明の第２の好ましい実施例において、図２を参照するに、第２の好ましい実施例の技術内容は第１の好ましい実施例と同様である。しかしながら、この実施例において、透明なランプケーシング２０がさらに設けられており、ランプケーシング２０は、光源１０及びコントローラ１４を収容する内部収容空間を有している。ランプケーシング２０が使用（例えば、ランプケーシングをヘッドライトとして使用する場合）されているとき、周囲のライトビーム又は対向車からのライトビームは、ランプケーシング２０を通過して透明部１１に入光し、センサ１２によって感知され、コントローラ１４はライトビームの輝度に応じて光源の輝度を適応的に調節することで適応制御する。
【００１５】
本発明の第３の好ましい実施例について、図３を参照するに、この第３の好ましい実施例の技術内容は前述した実施例と同様である。しかしながら、この実施例において、透明部１１及びセンサ１２の間に形成されたチャンネル（光路）１３内に集光器１５がさらに設けられている。集光器１５はライトビームを効率的に導光することができ、本発明のスマート光制御システムの精度を向上させるのに役立つ。この実施例において、センサが前述の感光性抵抗器である場合、感光性抵抗器の中央部が感光性抵抗器の側部に比べてより高感光性であり低感光性部分に因る制限を回避するため、集光器１５はライトビームの大部分を導光し感光性抵抗体のより高感光性部分に焦点を合わせる。
【００１６】
この好ましい実施例において、集光器１５は光ガイド、集光レンズ及び反射カップとすることができる。
【００１７】
本発明の第４の好ましい実施例について、図４を参照するに、第４の好ましい実施例の技術内容は前述の実施例と同様である。しかしながら、この実施例において、透明部１１は光源装置１０の内部で異なる位置に配置されている。この実施例において、光源装置１０はその内部に複数のチャンネル（光路）１３を有しており、上述の透明部１１及びセンサ１２は別個に配置されて全ての方向からライトビームを受光するようにされている。例えば、第１のチャンネルの透明部１１は第１の位置に配置され、第２のチャンネルの透明部１１は第２の位置に配置され、第３のチャンネルの透明部１１は第３の位置に配置され、第４のチャンネルの透明部１１は第４の位置に配置され、以下同様である。
【符号の説明】
【００１８】
１０・・・光源装置
１１・・・透明部
１２・・・センサ
１３・・・チャンネル
１４・・・コントローラ
１５・・・集光器
２０・・・ランプケーシング
【図１】
2018158717.tif 000003
【図２】
2018158717.tif 000004
【図３】
2018158717.tif 000005
【図４】
2018158717.tif 000006